(57)【特許請求の範囲】
【請求項１】
四角柱状の圧電体からなる振動部（４、５）を有する振動子（１）を備え、
前記振動部（４、５）の長手方向であるｚ軸方向に延びる前記振動部（４、５）の側面（Ｘ１、Ｘ２、Ｙ１、Ｙ２）のうち第１の側面（Ｘ１）には、第１の電極（１０、１１）と取出し電極（１６、１７）とが導電性膜により形成され、
前記側面（Ｘ１、Ｘ２、Ｙ１、Ｙ２）のうち前記第１の側面（Ｘ１）と略直交する第２の側面（Ｙ１、Ｙ２）には、第２の電極（１８、１９）と、該第２の電極（１８、１９）を前記取出し電極（１６、１７）に電気的に導通する接続電極（２１、２２）とが導電性膜により形成されており、
前記各電極（１０、１１、１６〜１９、２１、２２）を介して、前記ｚ軸と直交するｙ軸方向に前記振動部（４、５）を駆動振動させると共に、前記ｚ軸回りの角速度によって生じる前記振動部（４、５）の前記ｚ軸および前記ｙ軸と直交するｘ軸方向への検出振動を検出する角速度センサであり、
前記ｚ軸方向に延びる角部（Ｅ）において、前記接続電極（２１、２２）と前記取出し電極（１６、１７）とが、互いに該角部（Ｅ）を跨いで重なり接合された重なり部（Ｋ）を有する角速度センサを製造する製造方法であって、
前記第２の側面（Ｙ１、Ｙ２）が切断面となるように、平板状の圧電体を前記振動子（１）の形状に切断加工する工程（Ｍ２）と、
前記第１の側面（Ｘ１）に、前記第１の電極（１０、１１）と前記取出し電極（１６、１７）を形成するとともに、前記取出し電極（１６、１７）のうち前記接続電極（２１、２２）と接続される部位に、前記角部（Ｅ）から前記第２の側面（Ｙ１、Ｙ２）に至る第１のダレを形成する工程（Ｍ３）と、
前記第２の側面（Ｙ１、Ｙ２）に、前記第２の電極（１８、１９）と前記接続電極（２１、２２）を形成するとともに、前記接続電極（２１、２２）のうち前記取出し電極（１６、１７）と接続される部位に、前記第１のダレの上に重なりつつ前記角部（Ｅ）から前記第１の側面（Ｘ１）に至る第２のダレを形成する工程（Ｍ６）とを有することを特徴とする角速度センサの製造方法。
【請求項２】
ｘｙｚ直交座標系において、ｚ軸方向に延びる四角柱状の圧電体からなる振動部（４、５、１０２〜１０５、２０２〜２０５）を有する振動子（１、１０１、２０１）を備え、
前記振動部（４、５、１０２〜１０５、２０２〜２０５）のｚ軸方向に延びる側面と同一平面をなす前記振動子（１、１０１、２０１）の側面（Ｘ１、Ｘ２、Ｙ１、Ｙ２）のうち第１の側面（Ｘ１）には、第１の電極（１０、１１、１２０、２０７）と取出し電極（１６、１７、１２６、２１２、２１４）とが導電性膜により形成され、
前記側面（Ｘ１、Ｘ２、Ｙ１、Ｙ２）のうち前記第１の側面（Ｘ１）と略直交する第２の側面（Ｙ１、Ｙ２）には、第２の電極（１８、１９、１２２、２０９、２１０）と、該第２の電極（１８、１９、１２２、２０９、２１０）を前記取出し電極（１６、１７、１２６、２１２、２１４）に電気的に導通する接続電極（２１、２２、１２５、２１１、２１３）とが導電性膜により形成されており、
前記各電極を介して、ｙ軸方向に前記振動部（４、５、１０３、１０４、２０２、２０３）を駆動振動させると共に、ｚ軸回りの角速度によって生じる前記振動部（４、５、１０２、１０５、２０４、２０５）のｘ軸方向への検出振動を検出する角速度センサであり、
前記第１および第２の側面（Ｘ１、Ｙ１、Ｙ２）が略直交する部分に形成される角部（Ｅ）において、前記接続電極（２１、２２、１２５、２１１、２１３）と前記取出し電極（１６、１７、１２６、２１２、２１４）とが、互いに該角部（Ｅ）を跨いで重なり接合された重なり部（Ｋ）を有する角速度センサを製造する製造方法であって、
前記第２の側面（Ｙ１、Ｙ２）が切断面となるように、平板状の圧電体を前記振動子（１）の形状に切断加工する工程（Ｍ２）と、
前記第１の側面（Ｘ１）に、前記第１の電極（１０、１１、１２０、２０７）と前記取出し電極（１６、１７、１２６、２１２、２１４）を形成するとともに、前記取出し電極（１６、１７、１２６、２１２、２１４）のうち前記接続電極（２１、２２、１２５、２１１、２１３）と接続される部位に、前記角部（Ｅ）から前記第２の側面（Ｙ１、Ｙ２）に至る第１のダレを形成する工程（Ｍ３）と、
前記第２の側面（Ｙ１、Ｙ２）に、前記第２の電極（１８、１９、１２２、２０９、２１０）と前記接続電極（２１、２２、１２５、２１１、２１３）を形成するとともに、前記接続電極（２１、２２、１２５、２１１、２１３）のうち前記取出し電極（１６、１７、１２６、２１２、２１４）と接続される部位に、前記第１のダレの上に重なりつつ前記角部（Ｅ）から前記第１の側面（Ｘ１）に至る第２のダレを形成する工程（Ｍ６）とを有することを特徴とする角速度センサの製造方法。
【請求項３】
前記第１の電極は、前記駆動振動をさせるための駆動電極（１０、１１、１２０、２０７）であり、前記第２の電極は、前記検出振動を検出するための検出電極（１８、１９、１２２、２０９、２１０）であることを特徴とする請求項１または２に記載の角速度センサの製造方法。
【請求項４】
四角柱状の圧電体からなる振動部（４、５）を有する振動子（１）と、
前記振動部（４、５）の長手方向であるｚ軸方向に延びる前記振動部（４、５）の側面（Ｘ１、Ｘ２、Ｙ１、Ｙ２）のうち第１の側面（Ｘ１）に形成された導電性膜よりなる駆動電極（１０、１１）および取出し電極（１４〜１７）と、
前記側面（Ｘ１、Ｘ２、Ｙ１、Ｙ２）のうち前記第１の側面（Ｘ１）と略直交する第２の側面（Ｙ１、Ｙ２）に形成された導電性膜よりなる検出電極（１８、１９）と、
前記側面（Ｘ１、Ｘ２、Ｙ１、Ｙ２）のうち前記第１の側面（Ｘ１）と対向する第３の側面（Ｘ２）に形成された導電性膜よりなる共通電極（２０）とを備え、
前記駆動電極（１０、１１）と前記共通電極（２０）との間に交流電圧を印加して、前記第２の側面（Ｙ１、Ｙ２）と直交するｙ軸方向に前記振動部（４、５）を駆動振動させると共に、前記ｚ軸回りの角速度によって生じる前記振動部（４、５）の前記第１の側面（Ｘ１）と直交するｘ軸方向への検出振動を前記検出電極（１８、１９）を介して検出する角速度センサであり、
前記第２の側面（Ｙ１、Ｙ２）に形成され、前記検出電極（１８、１９）および前記共通電極（２０）を、それぞれ、前記取出し電極（１４〜１７）に電気的に接続する帯状の導電性膜よりなる接続電極（２１〜２４）とを備え、
前記ｚ軸方向に延びる角部（Ｅ）において、前記接続電極（２１〜２４）と前記取出し電極（１４〜１７）および前記共通電極（２０）とが、互いに該角部（Ｅ）を跨いで重なり接合された重なり部（Ｋ）を有する角速度センサの製造方法であって、
前記第２の側面（Ｙ１、Ｙ２）が切断面となるように、平板状の圧電体を前記振動子（１）の形状に切断加工する工程（Ｍ２）と、
前記第１および第３の側面（Ｘ１、Ｘ２）に、前記駆動電極（１０、１１）、前記取出し電極（１４〜１７）および前記共通電極（２０）を形成するとともに、前記取出し電極（１４〜１７）および前記共通電極（２０）のうち前記接続電極（２１〜２４）と接続される部位に、前記角部（Ｅ）から前記第２の側面（Ｙ１、Ｙ２）に至る第１のダレを形成する工程（Ｍ３）と、
前記圧電体に直流電圧を印加して所定方向に分極する工程（Ｍ５）と、
前記第２の側面（Ｙ１、Ｙ２）に前記検出電極（１８、１９）および前記接続電極（２１〜２４）を形成するとともに、前記接続電極（２１〜２４）のうち前記取出し電極（１４〜１７）および前記共通電極（２０）と接続される部位に、前記第１のダレの上に重なりつつ前記角部（Ｅ）から前記第１および第３の側面（Ｘ１、Ｘ２）に至る第２のダレを形成する第３の工程（Ｍ６）とを有することを特徴とする角速度センサの製造方法。
【請求項５】
前記第２の側面（Ｙ１、Ｙ２）に、金属粒子が樹脂中に分散されたものを印刷して、前記圧電体のキュリー温度以下の温度で硬化させることにより、前記検出電極（１８、１９、１２２、２０９、２１０）、前記接続電極（２１〜２４、１２５、２１１、２１３）および前記第２のダレを形成することを特徴とする請求項３または４に記載の角速度センサの製造方法。
【請求項６】
前記金属粒子が、球状と薄片状の金属粒子とからなることを特徴とする請求項５に記載の角速度センサの製造方法。
【請求項７】
前記角部（Ｅ）の近傍部位における前記接続電極（２１〜２４、１２５、２１１、２１３）の幅を、それ以外の部位に比して幅広くすることを特徴とする請求項１ないし６のいずれか１つに記載の角速度センサの製造方法。
【請求項８】
前記重なり部（Ｋ）において、前記角部（Ｅ）を起点とする前記ｘ軸方向の重なり長さ（Ｌ１）および前記ｙ軸方向の重なり長さ（Ｌ２）を、２０μｍ以上とすることを特徴とする請求項１ないし７のいずれか１つに記載の角速度センサの製造方法。
【請求項９】
前記角部（Ｅ）は、面取りがなされているものであることを特徴とする請求項１ないし８のいずれか１つに記載の角速度センサの製造方法。
【請求項１０】
前記振動子（１）は、前記振動部としての一対のアーム部（４、５）と、これら両アーム部（４、５）の一端を連結する連結部（６）とにより音叉形状に形成された振動子であり、
前記第１および第２の側面（Ｘ１、Ｘ２）は、前記両アーム部（４、５）と前記連結部（６）とが同一平面を形成し対向する面であり、
前記ｘ軸は前記第１および第２の側面（Ｘ１、Ｘ２）と直交する軸であり、前記ｙ軸は前記両アーム部（４、５）の配列方向であることを特徴とする請求項１ないし９のいずれか１つに記載の角速度センサの製造方法。
【発明の詳細な説明】
【０００１】
【発明の属する技術分野】
本発明は、ビデオの手ぶれ防止やナビゲーションシステムや自動車の車両制御等に利用される圧電振動型の角速度センサの製造方法に関するものである。
【０００２】
【従来の技術】
この種の角速度センサの従来技術として、特開平８−２１０８６０号公報に、音叉型の振動子を用いた角速度センサが提案されている。図１０および図１３に、その構成を示す。圧電体からなる振動子１は、一対の四角柱状のアーム部（振動部）４、５とこれらアーム部４、５の両端を連結する連結部６により音叉形状に構成されている。
【０００３】
振動子１には、略コの字形状を呈し対向する表裏面Ｘ１、Ｘ２面のうちＸ１面に、駆動電極１０、１１、参照電極１２等が配置され、Ｘ１、Ｘ２面と略直交する側面であるＹ１面およびＹ２面に、検出電極１８、１９が配置され、Ｘ１面と対向するＸ２面の全面に、Ｘ１面の各電極および検出電極１８、１９の基準電位となる共通電極２０が全面に配置されている。
【０００４】
この角速度センサの作動原理は、次のようである。すなわち、四角柱状のアーム部４、５の長手方向（ｚ軸方向）と直交するｙ軸方向に、アーム部４、５をたわませて駆動振動させる。そして、振動しているアーム部４、５に回転角速度が入力された時に生じるコリオリ力により、上記のｚ軸方向およびｙ軸方向と直交するｘ軸方向に発生するアーム部４、５のたわみ振動を検出振動として電気的に検出し、角速度の大きさを求める。
【０００５】
【発明が解決しようとする課題】
ところで、上記のような四角柱の振動部を有するタイプの角速度センサにおいて、振動子１上の各電極は、ワイヤボンディング等により外部回路と結線されるが、その結線を容易とするために、各電極を振動子１のひとつの面に引き回す必要がある。ここで、本発明者等は、鋭意検討の結果、Ｙ１、Ｙ２面の検出電極１８、１９をＸ１面に取出す場合、以下のような問題があると考えた。
【０００６】
Ｘ１面と略直交するＹ１およびＹ２面の検出電極１８、１９をＸ１面に引き回す場合、電気ノイズを拾わないように短い引回し距離にするには、アーム部４、５の長手方向に沿った角部（以下、角部という）Ｅを経てＸ１面に至るというルートに接続電極を設定する必要がある。具体的には、図１１に点線で示すように、取出し電極１６、１７および接続電極２１、２２を形成することとなる。
【０００７】
従って、Ｙ１、Ｙ２面の検出電極１８、１９から、Ｘ１面へ電極導体を引回す際、この角部Ｅをまたぐ構成となるが、上記したように、この角部Ｅは、アーム部４、５の駆動および検出振動（たわみ振動）による曲げ応力が発生する部分である。その為、この曲げ応力によるダメージによって角部Ｅにおける電気的な接続状態が劣化し、センサの性能悪化を招き、場合によっては、電気的接続がとれなくなるという可能性がある。
【０００８】
なお、Ｘ１面以外のＹ１面あるいはＹ２面に取出すことも考えられるが、いずれにせよ、四角柱状の振動部を有する振動子を備えた角速度センサにおいて、振動部の長手方向に延び略直交する両面にそれぞれ形成された電極同士を接続する場合、接続電極は、振動によって屈曲する角部Ｅを通らざるを得ない。
このような問題は、上記の音叉型に限らず、四角柱状の振動部の長手方向に延び略直交する両面に、それぞれ電極が形成された振動子を備えた角速度センサにおいて、両面の電極同士を角部を跨いで電気的に接続する場合には、共通の問題であると考えられる。
【０００９】
本発明は上記問題点に鑑みて、四角柱状の振動部の長手方向に延び略直交する両面に、それぞれ電極が形成された振動子を備えた角速度センサにおいて、両面の電極同士を、振動部の長手方向に延びる角部を跨いで電気的に接続する信頼性に優れた接続構成を提供することを目的とする。
【００１０】
【課題を解決するための手段】
本発明者等は、上記した従来の音叉型と同型の振動子を用いて、角部の電極接続構成について鋭意検討を行った。具体的には、振動部であるアーム部（５）のＹ２面（側面）と略直交するＸ１面（表面）に取出し電極（１７）を形成し、この取出し電極（１７）とＹ２面の検出電極（１９）とを、角部（Ｅ）を跨ぐ接続電極（２２）によって接続する構成（図２参照）について検討した。
【００１１】
その結果、図３に示す構成（以下、Ａ構成という）において、接続状態の劣化が発生しにくいことを見出した。図３は、角部（Ｅ）における取出し電極（１７）と接続電極（２２）との接続構造の断面をＳＥＭ観察したものである。
図３に示すように、両電極（１７、２２）は、互いに角部（Ｅ）を跨いで、Ｘ１面およびＹ２面において重なり合って接合され重なり部（Ｋ）を構成している。そのため、両電極（１７、２２）の接続長を長くできるとともに、アーム部（５）に発生する駆動振動（ｙ軸方向）および検出振動（ｘ軸方向）のどちらの振動方向に対しても、接合力が作用するので剥がれにくく出来る。
【００１２】
本発明は、このＡ構成に基づいて、上記目的を解決するものである。
すなわち、請求項１の発明によれば、振動部（４、５）の長手方向であるｚ軸方向に延びる振動部（４、５）の側面（Ｘ１、Ｘ２、Ｙ１、Ｙ２）において、第１の側面（Ｘ１）には、第１の電極（１０、１１）、および取出し電極（１６、１７）が形成され、第１の側面（Ｘ１）と略直交する第２の側面（Ｙ１、Ｙ２）には、第２の電極（１８、１９）、および該第２の電極（１８、１９）を取出し電極（１６、１７）に電気的に導通する接続電極（２１、２２）が形成され、前記の各電極は共に導電性膜からなっており、ｚ軸方向に延びる角部（Ｅ）において、接続電極（２１、２２）と取出し電極（１６、１７）とが、互いに該角部（Ｅ）を跨いで重なり接合された重なり部（Ｋ）を有することを特徴とする。
【００１３】
それによって、上記Ａ構成の作用効果を達成し、駆動振動等による角部（Ｅ）の屈曲が起こっても、電気的に接続する信頼性に優れた接続構成を有する角速度センサを提供することができる。
ところで、例えば、図１３において取出し電極１６、１７を、振動部であるアーム部４、５でなく連結部６のＸ１面に形成する場合も考えられるが、この場合には、接続電極１８、１９は、アーム部４、５の角部Ｅでなく、連結部６の角部Ｅを経て引き回すこととなる。
【００１４】
このような場合について更なる検討を行った結果、振動部の角部だけでなく、その延長線上にある角部（例えば、前記連結部６の角部Ｅ）部分においても、上記たわみ振動による曲げ応力の問題が起こる可能性があることを見いだした。従って、曲げ応力のかかる角部にて略直交する振動子の両側面において、振動部以外の部位に形成された電極へ引き回しを行う構造にも対応できるようにする必要がある。
【００１５】
請求項２記載の発明は、この知見に基づき、曲げ応力のかかる角部（Ｅ）にて略直交する２つの側面のうち第１の側面（Ｘ１）に、第１の電極（１０、１１、１２０、２０７）及び取出し電極（１６、１７、１２６、２１２、２１４）を形成し、第２の側面（Ｙ１、Ｙ２）に、第２の電極（１８、１９、１２２、２０９、２１０）及び接続電極（２１、２２、１２５、２１１、２１３）を形成した振動子（１、１０１、２０１）についてなされたものである。
【００１６】
そして、請求項２の発明においては、第１および第２の側面（Ｘ１、Ｙ１、Ｙ２）が略直交する部分に形成される角部（Ｅ）において、接続電極（２１、２２、１２５、２１１、２１３）と取出し電極（１６、１７、１２６、２１２、２１４）とが、互いに該角部（Ｅ）を跨いで重なり接合された重なり部（Ｋ）を有することを特徴としており、請求項１の発明の効果に加えて、振動部（１０２〜１０５、２０２〜２０５）以外の部位に形成された電極（１２６、２１２、２１４）へ引き回しを行う構造にも対応できる。
【００１７】
また、請求項３の発明によれば、請求項１及び２に記載の第１の電極は、振動部（４、５、１０３、１０４、２０２、２０３）の駆動振動をさせるための駆動電極（１０、１１、１２０、２０７）であり、第２の電極は、振動部（４、５、１０２、１０５、２０４、２０５）の検出振動を検出するための検出電極（１８、１９、１２２、２０９、２１０）であることを特徴とする。
【００１８】
ここで、検出電極（１８、１９、１２２、２０９、２１０）はコリオリ力による微小な電気信号を検出する電極である。そのため、検出電極（１８、１９、１２２、２０９、２１０）と取出し電極（１６、１７、１２６、２１２、２１４）とを接続する接続電極（２１、２２、１２５、２１１、２１３）の幅は、駆動電極（１０、１１、１２０、２０７）等から発生する不要な電気ノイズ、圧電体より発生する不要なノイズ等を出来るだけ拾わないように、特に細くする必要がある。
【００１９】
よって、検出電極（１８、１９、１２２、２０９、２１０）の接続においては、上記の接続状態の劣化が発生しやすくなる。本発明は、検出電極（１８、１９、１２２、２０９、２１０）と取出し電極（１６、１７、１２６、２１２、２１４）との接続構造において、上記Ａ構成の作用効果を有する角速度センサを提供することができる。
【００２０】
また、請求項４の発明によれば、四角柱状の圧電体からなる振動部（４、５）の長手方向であるｚ軸方向に延びる前記振動部（４、５）の側面（Ｘ１、Ｘ２、Ｙ１、Ｙ２）において、第１の側面（Ｘ１）には、駆動電極（１０、１１）および取出し電極（１４〜１７）が形成され、第１の側面（Ｘ１）と略直交する第２の側面（Ｙ１、Ｙ２）には、検出電極（１８、１９）が形成され、第１の側面（Ｘ１）と対向する第３の側面（Ｘ２）には、共通電極（２０）が形成されている。
【００２１】
さらに、第２の側面（Ｙ１、Ｙ２）には、検出電極（１８、１９）および共通電極（２０）を、それぞれ、取出し電極（１４〜１７）に電気的に接続する帯状の接続電極（２１〜２４）とが備えられており、各電極（１０、１１、１４〜２４）は導電性膜からなっており、角部（Ｅ）において、接続電極（２１〜２４）と取出し電極（１４〜１７）および共通電極（２０）とが、請求項１及び２に記載と同様の重なり部（Ｋ）を有することを特徴とする。
【００２２】
それによって、検出電極（１８、１９）および共通電極（２０）を、それぞれ、取出し電極（１４〜１７）に電気的に接続する接続電極（２１〜２４）は、角部（Ｅ）において、上記のＡ構成の作用効果を達成することができ、駆動振動等による角部（Ｅ）の屈曲が起こっても、電気的に接続する信頼性に優れた接続構成を有する角速度センサを提供することができる。
【００２３】
また、本発明によれば、検出電極（１８、１９）および共通電極（２０）が第１の側面（Ｘ１）に取出されているので、第１の側面（Ｘ１）にて全ての電極が結線可能とでき、ワイヤボンディング等による電極と外部回路との結線が容易とできる。
なお、ひとつの面にて、電極の結線を可能とした角速度センサとしては、特開平８−１７８６７３号公報に記載のものがあるが、これは、振動部の長手方向に延び対向する表裏面のみに電極が形成されたものであり、振動部の長手方向に延び略直交する両面に、それぞれ電極が形成されたものではない。
【００２４】
従って、裏面の電極の表面への取出しを、振動部の長手方向と略直交する四角柱の端面、つまり駆動および検出振動による屈曲面でない面に接続電極を形成することで実施している。そのため、屈曲する角部を通る接続構成とは異なり、本発明の課題は発生しない。また、請求項５の発明によれば、第２の側面（Ｙ１、Ｙ２）に、金属粒子が樹脂中に分散されたものを印刷して、圧電体のキュリー温度以下の温度で硬化させることにより、検出電極（１８、１９、１２２、２０９、２１０）、接続電極（２１〜２４、１２５、２１１、２１３）および前記第２のダレを形成することを特徴とする。
【００２５】
それによって、圧電体の分極が破壊するキュリー温度以下の温度で、検出電極（１８、１９、１２２、２０９、２１０）および接続電極（２１〜２４、１２５、２１１、２１３）が形成できるので、電極形成の際の熱による圧電体の分極の劣化を防止でき、良好なセンサ性能を確保することができる。
さらに、請求項６の発明によれば、上記の金属粒子が、球状と薄片状の金属粒子とからなることを特徴とする。それによって、球状の粒子は、樹脂の収容スペースを確保して、樹脂層のマトリクスを強固に形成する。しかし、これのみでは、球状の粒子の接触で電気的導通は不十分の為、薄片状の粒子を混在させ、粒子間の接触を良好にせしめ、良好な導通を得るようにすることができる。これら両形状の粒子により、良好な接合強度と電気的導通とを両立せしめている。
【００２６】
また、請求項７の発明によれば、請求項１〜６記載の接続電極（２１〜２４、１２５、２１１、２１３）において、角部（Ｅ）の近傍部位の電極の幅が、それ以外の部位に比して幅広くなっていることを特徴とする。
引回しに用いられる接続電極（２１〜２４、１２５、２１１、２１３）は、駆動電極（１０、１１、１２０、２０７）等から発生する電気ノイズ、圧電体より発生する不要なノイズ等を出来るだけ拾わないよう面積を小さくすべく細くすることが望ましい。
【００２７】
本発明によれば、接続状態の劣化が発生しやすい角部（Ｅ）近傍の部位のみ、電極の幅を広くすることで、請求項１〜６の発明の効果を確保するとともに、引回しに用いられる接続電極（２１〜２４、１２５、２１１、２１３）の不要な面積アップを防止できる。
さらに、上記の重なり部（Ｋ）について実験検討を進めたところ、請求項８の発明のように、重なり部（Ｋ）において、角部（Ｅ）を起点としてｘ軸方向の重なり長さ（Ｌ１）およびｙ軸方向の重なり長さ（Ｌ２）が、２０μｍ以上であれば、より高いレベルで請求項１〜４および請求項７の効果を達成できることがわかった。
【００２８】
さらに、請求項９の発明のように、角部（Ｅ）は面取りがなされているものであれば、駆動および検出振動によって角部（Ｅ）における電極接続構造に発生する応力を緩和できるので、請求項１〜４および請求項７、８の発明の効果をより高レベルで達成することができる。なお、上記請求項１ないし３のいずれか１つに記載の発明では、次の製造方法を特徴とする。
【００２９】
すなわち、第２の側面（Ｙ１、Ｙ２）が切断面となるように、平板状の圧電体を振動子（１）の形状に切断加工し、第１の側面（Ｘ１）に、第１の電極（１０、１１、１２０、２０７）と取出し電極（１６、１７、１２６、２１２、２１４）を形成するとともに、取出し電極（１６、１７、１２６、２１２、２１４）のうち接続電極（２１、２２、１２５、２１１、２１３）と接続される部位に、角部（Ｅ）から第２の側面（Ｙ１、Ｙ２）に至る第１のダレを形成する。
【００３０】
続いて、第２の側面（Ｙ１、Ｙ２）に第２の電極（１８、１９、１２２、２０９、２１０）と接続電極（２１、２２、１２５、２１１、２１３）を形成するとともに、第２の電極（１８、１９、１２２、２０９、２１０）のうち取出し電極（１６、１７、１２６、２１２、２１４）と接続される部位に、第１のダレの上に重なりつつ角部（Ｅ）から第１の側面（Ｘ１）に至る第２のダレを形成することを特徴とする。
【００３１】
以上のように、本発明においては、圧電体の切断加工を、第１の側面（Ｘ１）の電極の形成よりも先に行うことにより、互いに略直交する第１の側面（Ｘ１、Ｘ２）および第２の側面（Ｙ１、Ｙ２）の双方に、積極的にダレ（第１および第２のダレ）を作ることができる。それによって、双方のダレがオーバーラップするため、角部（Ｅ）の接続構成において、重なり部（Ｋ）を形成することができる。
【００３２】
また、請求項４に記載の発明では、次の製造方法を特徴とする。すなわち、第２の側面（Ｙ１、Ｙ２）が切断面となるように、平板状の圧電体を振動子（１）の形状に切断し、第１および第３の側面（Ｘ１、Ｘ２）に、駆動、取出し、共通電極（１０、１１、１４〜１７、２０）を形成するとともに、取出し電極（１４〜１７）および共通電極（２０）のうち接続電極（２１〜２４）と接続される部位に、角部（Ｅ）から第２の側面（Ｙ１、Ｙ２）に至る第１のダレを形成し、圧電体に直流電圧を印加して所定方向に分極した後、第２の側面（Ｙ１、Ｙ２）に検出および接続電極（１８、１９、２１〜２４）を形成するとともに、接続電極（２１〜２４）のうち取出し電極（１４〜１７）および共通電極（２０）と接続される部位に、第１のダレの上に重なりつつ角部（Ｅ）から第１および第３の側面（Ｘ１、Ｘ２）に至る第２のダレを形成することを特徴とする。
【００３４】
なお、上記各手段の括弧内の符号は、後述する実施形態記載の具体的手段との対応関係を示すものである。
【００３５】
【発明の実施の形態】
以下、本発明を図に示す実施形態に基づいて説明する。
（第１実施形態）
本実施形態は、例えば、ビデオの手ぶれ防止やナビゲーションシステムや自動車の車両制御等に利用される角速度センサとして使用される。
【００３６】
図１は、本実施形態の角速度センサの振動子の構成を示す斜視図である。振動子１は圧電体（本実施形態ではＰＺＴ）から形成されており、一対の四角柱状のアーム部（振動部）４、５と、両アーム部４、５の一端を連結する連結部６とからなる音叉形状、いわゆる音叉型振動子を構成している。そして、振動子１は、例えば４２アロイ等からなる略エ字型の支持部３を介して、基板２に固定されており、振動子１自身は基板２に対して平行に浮遊した形となっている。
【００３７】
ここで、振動子１においてアーム部４、５の長手方向であるｚ軸方向に延びる各振動子面を以下のように定義する。両アーム部４、５と連結部６とが同一平面を形成し対向する略コ字形状の一対の面であるＸ１、Ｘ２面のうち、基板２とは反対側の面をＸ１面（第１の側面）、Ｘ１面と対向する他方の面をＸ２面（第３の側面）とする。また、振動子１の外周に位置し、アーム部４、５の配列方向であるｙ軸と略直交する面であるＹ１、Ｙ２面（第２の側面）のうち、アーム部４側をＹ１面、アーム部５側をＹ２面とする。
【００３８】
また、アーム部４およびアーム部５においては、それぞれ、ｚ軸方向に沿った４本の四角柱の稜線、すなわちＸ１、Ｘ２面とＹ１、Ｙ２面との交線及びＸ１、Ｘ２面と両アーム部４、５の対向面との交線により形成される角部Ｅが構成されている。
そして、Ｘ１面およびＸ２面と直交する方向をｘ軸として、上記ｙ軸およびｚ軸とともに、図１に示すｘｙｚ直交座標系が構成される。以下、本実施形態において、このｘｙｚ直交座標を用いて説明する。また、以下、ｘ軸方向というのは、ｘ軸と平行な方向であることを意味する。ｙ軸、ｚ軸方向についても同様である。
【００３９】
なお、ここでＸ１、Ｘ２面とＹ１、Ｙ２面とは９０°である必要はない。要は、ｙ軸と直交する角速度によって生じるｘ軸方向への振動を検出できるような角度（角速度検出可能角度）であればよい。このことは、以下の各実施形態においても同様である。
次に、振動子１に設けられた電極構成について説明する。図２は、振動子１の外周面上に形成された各電極の構成を、振動子１の前後、左右から見た展開図である。（ａ）はＸ１面、（ｂ）はＸ２面、（ｃ）はＹ１面、（ｄ）はＹ２面上の電極構成を示すものである。
【００４０】
アーム部４、５のＸ１面（第１の側面）には、連結部６側から順に、振動子１を駆動するための駆動電極（第１の電極）１０、１１、駆動状態をモニタし自励発振させるための帰還用としての参照電極１２、１３および第１の取出し電極１４、１５、第２の取出し電極１６、１７が形成されている。
駆動電極１０および１１は、連結部６を通って、各アーム部４、５のＹ１、Ｙ２面側と、アーム部４、５の互いに対向する対向面側とに、それぞれ位置している。
【００４１】
そして、参照電極１２、１３は、各アーム部４、５の対向面側の略中央に位置し、第２の取出し電極１６、１７は各アーム部４、５の先端部に位置しており、第１の取出し電極１４、１５はこれら参照電極１２、１３と第２の取出し電極１６、１７との間に位置した形となっている。
上記のＸ１面上の各電極１０〜１７は、ガラスフリットを多く含むＡｇ−Ｐｄ導体（住友金属鉱山製、ＣＬＰ５６４８６）によって形成された、厚さ１０μｍの導電性膜である。
【００４２】
なお、Ｘ１面上の各電極１０〜１７の一部表面（図２（ａ）中のクロスハッチングの部位）上には、２層目の導電性膜が、各電極１０〜１７の外周縁内部に位置するように形成され、ワイヤボンディング（以下、ＷＢという）用電極１０ａ〜１７ａとして構成されている。ＷＢ用電極１０ａ〜１７ａは、後述するワイヤＳが結線される部分であり、ガラスフリットを含まないＡｇ−Ｐｄ導体（住友金属鉱山製、ＣＬＰ３８２８７）により形成されている。
【００４３】
また、角速度を検出するための検出電極（第２の電極）１８、１９が、アーム部４、５のＹ１、Ｙ２面（第２の側面）において、それぞれ、Ｘ２面側に偏った位置に形成されている。これら検出電極１８、１９も導電性膜であり、後述するように、圧電体の分極後に形成され、球状と薄片状の銀粒子が樹脂中に分散されたものであり、圧電体のキュリー温度（例えば、３６０℃）以下の温度（例えば、１５０℃）で硬化焼き付けが可能な樹脂銀導体（アサヒ化学製、ＬＳ−５０４Ｊ）にて形成されている。
【００４４】
一方、振動子１のＸ２面（第３の側面）には、上記の駆動電極１０、１１、参照電極１２、１３および検出電極１８、１９の基準電位用電極である共通電極２０がほぼ全面に形成されている。共通電極２０は、上記のＸ１面上の各電極１０〜１７と同様の材料、膜厚にて形成された導電性膜である。
また、図２（ｃ）および（ｄ）に示すように、アーム部４、５のＹ１、Ｙ２面には、帯状の第１の接続電極２１、２２および第２の接続電極２３、２４が形成されている。これら接続電極２１〜２４は、検出電極１８、１９と同様の材料にて形成された導電性膜である。
【００４５】
第１の接続電極２１および２２は、それぞれ、検出電極１８および１９と一体に成形されており、角部Ｅを通って、第２の取出し電極１６および１７に電気的に接続されている。一方、第２の接続電極２３および２４においては、一端部が角部Ｅを通って、それぞれ、第１の取出し電極１４および１５と電気的に接続され、他端部が角部Ｅを通って、共通電極２０と電気的に接続されている。
【００４６】
これら接続電極２１〜２４と接続される相手側電極とは、角部Ｅを跨いで所定長互いに重なり合っている。そして、各接続電極２１〜２４のうち、角部Ｅ近傍の部位が、それ以外の部位に比して幅広くなっている。
これら角部Ｅにおける電極接続構造の詳細について説明する。本実施形態では、角部Ｅにおける接続構造は、どこも同一であるので、図３に示す第２の取出し電極１７と第１の接続電極２２との接続構造に代表させて、以下述べる。図３は、図２（ａ）のＣ−Ｃ断面において、接続構造を走査型電子顕微鏡（ＳＥＭ）にて拡大してみたものである。
【００４７】
第２の取出し電極１７の導電性膜は、Ｘ１面から角部Ｅを跨いでＹ２面に入り込み、一方、第１の接続電極２２の導電性膜は、Ｙ２面から角部Ｅを跨いでＸ１面に入り込み、両電極１７、２２の導電性膜は、互いに角部Ｅを跨いで、Ｘ１面、Ｙ２面の両面にて重なり接合された重なり部Ｋを構成している。重なり部Ｋは重なっている範囲の両導電性膜をいう。
【００４８】
そして、重なり部Ｋにおいて、角部Ｅを起点とするｘ軸方向の重なり長さＬ１は、例えば、３０μｍであり、ｙ軸方向の重なり長さＬ２は、４０μｍである。本発明者等の検討によれば、良好な接続を確保するためには、各重なり長さＬ１、Ｌ２は共に所定長以上あることが望ましく、具体的にその所定長は２０μｍとしている。
【００４９】
なお、上記のＸ１面上の各電極１０〜１７およびＸ２面上の共通電極２０において、接続電極２１〜２４と接続される外周部（図２中、符号Ｇで示す）以外の外周部は、電極形成面（Ｘ１、Ｘ２面）の端面から、０．０５ｍｍ以上離して（控え距離）ある。この控え距離は、後述の分極処理工程Ｍ５（図４参照）において、Ｙ１、Ｙ２面での沿面リークを防ぐためのものである。
【００５０】
また、振動子１は、図１の白抜き矢印に示すように、Ｘ１、Ｘ２面に直交するｘ軸方向に分極処理されている。
そして、図１に示すように、Ｘ１面上の駆動電極１０、１１、参照電極１２、１３、取出し電極１４〜１７の各電極は、それぞれ、上記したＷＢ用電極１０ａ〜１７ａ（図１中省略）の部分にて、基板２上の各リード端子Ｐと、導電性のワイヤＳ（本実施形態では、Ａｌ線のＷＢ）によって電気的に結線されている。つまり、振動子１の全電極１０〜２４は、Ｘ１面で結線された形となっている。そのため、ＷＢ等によるワイヤＳの結線が容易とできる。
【００５１】
これらリード端子Ｐは、図１に示すように、振動子１の両側に複数個（例えば左右４本ずつ）、基板２を貫通して設けられ、基板２の振動子１とは反対の面に突出している。各リード端子Ｐの外周には、絶縁ガラス２ａが配置され、リード端子Ｐと基板２との電気絶縁を保つ役割を果している。
また、リード端子Ｐは、基板２の振動子１とは反対の面側にて、外部に設けられる図示しない駆動・検出回路に、電気的に接続されている。この駆動・検出回路は、上記した振動子１への駆動信号（交流電圧）を発生させ振動子１を所定の駆動周波数で駆動振動させると共に、振動子１の振動状態から発生する電気信号を駆動周波数で同期検波する等の検出処理を行い、図１に示すｚ軸回りの角速度Ωｚを検出するように構成されている。
【００５２】
また、振動子１は、基板２外周に接着される図示しないシェル（蓋体）により覆われて、このシェルと上記の絶縁ガラス２ａによって、振動子１は外部に対して気密となっている。このように、振動子１は基板２に組み付けられ、電気的配線を施されて、角速度センサとして構成されている。
また、基板２には、図示しない取付部が形成されており、この取付部には防振ゴムが取り付けられ、この防振ゴムを介して締結、接着等により被測定物（車両、ハンディビデオ等）に、振動子１および基板２が取り付けられるようになっている。
【００５３】
以上の構成に基づき、本実施形態の角速度センサの作動について説明する。
第１の取出し電極１４、１５を介して、共通電極２０と駆動電極１０および駆動電極１１との間に、それぞれ位相の１８０度異なる交流電圧（駆動電圧）をｘ軸方向に印加することにより、各アーム部４、５をｙ軸方向に駆動振動させる。この時、参照電極１２、１３と共通電極２０との間を流れる出力電流を検知し、振動状態をモニタしながらフィードバックを行う。その結果、周囲温度が変化してもアーム部４、５のｙ軸方向の振幅（駆動振幅）が一定となるように自励発振制御を行うことができる。
【００５４】
上記の駆動振動時に、振動子１に対して、ｚ軸（検出軸）回りに角速度Ωｚが入力された時、いわゆるコリオリ力によりアーム部４、５はたわみ振動を生じ、ｘ軸方向に角速度Ωｚに比例した検出振動を発生する。この検出振動によって、検出電極１８、１９と共通電極２０との間に発生する出力電流を、第１の接続電極２１、２２および第２の取出し電極１６、１７を介して検出して、電圧値（検出信号）に変換することにより、各アーム部４、５の中心位置におけるｚ軸回りの角速度Ωｚを検出する。
【００５５】
次に、振動子１および各電極１０〜２４の製造方法について、図４〜図６を参照して述べる。図４は、製造工程の流れを示す工程図であり、図５および図６は、各製造工程を示す説明図である。
まず、ＰＺＴセラミクスをサイズ２２×２２×２．５ｍｍのサイズで焼成する（図５（ａ）参照）。平面研削工程Ｍ１では、それを、平面ラップ盤で２．１７ｍｍの厚さに平面ラップで研削する。次に平行な二辺を２０ｍｍの幅に切断する（図５（ｂ）参照）。
【００５６】
次に、切断加工工程Ｍ２では、ＰＺＴセラミクスを振動子１の外周形状に、切断面がＹ１、Ｙ２面となるように切断する。本実施形態では、音叉型の振動子１の外周形状である２０ｍｍ×４．６ｍｍに外周刃スライサで切断する。次に音叉とするため、幅０．６ｍｍのスリットを外周刃スライサで加工する（図５（ｃ）参照）。
【００５７】
次に、第１層電極印刷・焼付工程Ｍ３では、Ｘ１面とＸ２面のそれぞれの所定の電極形成部位（図６（ａ）中のハッチング部分）に、一層目のＡｇ−Ｐｄ導体（住友金属鉱山製、ＣＬＰ５６４８６）を印刷する。
この時、上記した図２に示す様、各電極１０〜１７および２０の外周部Ｇに相当する部位、すなわち接続電極２１〜２４と接続される部位では、端面まで印刷を行うようにして、印刷ダレによって、角部Ｅを跨いでＹ１、Ｙ２面に導体を回りこます。同時に、後述の分極処理工程Ｍ５における沿面リークを防ぐべく、印刷ダレによるＹ１、Ｙ２面への不要な電極（導体）回り込みを防止する為に、外周部Ｇに相当しない部位については、端面から０．０５ｍｍ以上の印刷しない控え距離をとっている。
【００５８】
以上のようにして印刷した後、温度８５０℃で焼きつけ、厚さ１０μｍの電極とする。こうして、Ｘ１面上の各電極１０〜１７およびＸ２面上の共通電極２０が形成される。同時に、各電極１０〜１７、２０のうち、接続電極２１〜２４と接続される部位に、角部ＥからＹ１、Ｙ２面に至るダレ（第１のダレ）が形成される。
【００５９】
次に、第２層電極印刷・焼付工程Ｍ４では、ＷＢ用電極１０ａ〜１７ａの形成部位（図６（ｂ）中のクロスハッチング部分）に、２層目のＡｇ−Ｐｄ導体（住友金属鉱山ＣＬＰ３８２８７）を印刷し、温度８５０℃で焼きつけ、厚さ１０μｍの電極（従って、この部分は総厚さ２０μｍとなる）を形成する。こうして、ＷＢ用電極１０ａ〜１７ａが形成される。
【００６０】
尚、これら１層目、２層目のＡｇ−Ｐｄ導体の印刷において、印刷時の条件は、導体ペーストの粘度が、２００Ｐａ・ｓ（リオン粘度計）で、粘度比（ブルックフィールド粘度計１ｒｐｍと１００ｒｐｍの比）が、１．５であった。また、スクリーンはメッシュサイズが、＃２５０で、乳剤厚１０μｍのものを使用した。
【００６１】
このように、２層のＡｇ−Ｐｄ膜を形成するのは、振動子１と上記の駆動・検出回路との電気的接続手段として、アルミ線のワイヤボンディングを採用しているためであり、接合強度の経時劣化の小さい電極構成として、選定したためである。すなわち、一層目は、ＰＺＴとの接合性を確保するため、ガラスフリット量の多い導体を、二層目は、ワイヤＳとの接合強度を保つため、ガラスを含まない導体とした。接合強度に対する要求品質によって、例えば、ガラスフリットを少量含むＡｇ−Ｐｄ導体一層のみであってもよいし、Ａｇ、Ａｇ−Ｐｔという他の導体を選定してもよい。
【００６２】
この後、分極処理工程Ｍ５では、分極用導体（昭栄化学  Ｎ４７６１）を、振動子１のＸ１、Ｘ２面全面に塗布し、１００℃で１０分間、乾燥する。その後、１２０℃のシリコンオイル中に浸漬し、Ｘ１、Ｘ２面間に５ＫＶの直流電圧を印加し、圧電体をｘ軸方向に分極する。分極処理後、前記の分極用導体を、アセトン等の有機溶剤で除去する。
【００６３】
この後、側面電極印刷・硬化工程Ｍ６では、Ｘ１、Ｘ２面の側面であるＹ１、Ｙ２面における電極形成部位（図６（ｃ）のハッチング部分）に、樹脂銀導体（アサヒ化学ＬＳ−５０４Ｊ）を印刷する。この時、接続電極２１〜２４においては、Ｙ１、Ｙ２面の端面まで導体を印刷することで、印刷ダレによって、上記の第１のダレの上に重なりつつ角部Ｅを跨いで、Ｘ１、Ｘ２面の相手側電極（取出し電極１４〜１７、共通電極２０）の上に、導体を回りこます。
【００６４】
以上のようにして印刷した後、１５０℃で乾燥し、１４μｍの厚さの検出電極１８、１９および接続電極２１〜２４を形成する。同時に、接続電極２１〜２４のうち角部Ｅに位置する部位（図２のＧ部分）に、第１のダレの上に重なりつつ角部ＥからＸ１、Ｘ２面に至るダレ（第２のダレ）が形成される。それによって、重なり部Ｋが形成される。こうして、各電極１０〜２４を備えた振動子１が完成する。そして、振動子１は支持部３を介して基板２に固定され、上記の電気的配線を施されて角速度センサが完成する。
【００６５】
なお、本工程Ｍ６において、樹脂銀導体は、球状と薄片状の銀粒子をフェノール樹脂に分散させたものである。解決手段の欄にて述べたように、球状と薄片状の銀粒子の接触で導体としての電気的接続を得て、接合強度と電気的導通を両立させており、ＰＺＴセラミクスという熱膨張係数の小さい材質への接合において、熱膨張差（自身の熱膨張係数は、大）による劣化を小さくできる。振動子１において、導体の接触抵抗が大きくなると、振動子１のもつ静電容量とにより、電流の位相変化が発生し、結果として、センサの特性に影響するので、このような、電気的接触が、良好な導体を使用することが、望ましい。
【００６６】
また、樹脂銀導体は、硬化温度が１５０℃のため、硬化の際、熱によるＰＺＴの分極の劣化が発生しない。なお、上述の工程Ｍ３およびＭ４における焼付けタイプの導体は、焼付け時に、高い温度（８５０℃）となり、ＰＺＴのキュリー温度以上となるため分極が破壊する。
尚、樹脂銀導体の粘度は、３５Ｐａ・ｓ（リオン粘度計）、粘度比は３（ブルックフィールド粘度計１ｒｐｍと１００ｒｐｍの比）であり、スクリーンは、メッシュサイズ＃２５０、乳剤厚１０μｍを使用している。
【００６７】
印刷ダレ量を多くするには、ペースト粘度を下げる、また、スクリーン、印刷条件（スキージアタック角（スキージとスクリーンとがなす角度））により、ペースト吐出量を大きくすればよい。但し、これでは、印刷の際に、だれた部分において所定の膜厚を確保できない。
そこで、本実施形態では、膜厚とダレ量の両立のため、ペーストのレオロジーについても鋭意検討し、上記の条件を採用している。従って、上記の製造工程中、第１層電極印刷・焼付工程Ｍ３および側面電極印刷・硬化工程Ｍ６における角部Ｅの印刷ダレによって、上述した重なり部Ｋが形成される。
【００６８】
すなわち、第１層電極印刷・焼付工程Ｍ３において、Ａｇ−Ｐｄ導体の印刷・焼付けにより、例えば、上述の図３に示すように、第２の取出し電極１７は、Ｘ１面から角部Ｅを跨いで、Ｙ２面にて所定長Ｌ１のダレを形成する。
ここに、側面電極印刷・硬化工程Ｍ６において、Ａｇ−Ｐｄ導体の印刷・焼付けにより、第１の接続電極２２は、Ｙ２面から角部Ｅを跨いで、Ｘ１面の第２の取出し電極１７の上に所定長Ｌ２のダレを形成する。こうして、図３に示すように、全長がＬ１＋Ｌ２の重なり部Ｋが形成される。
【００６９】
よって、本実施形態においては、印刷時のＡｇ−Ｐｄ導体による印刷ダレにより、角部Ｅを形成する互いの面において、互いの電極が重なり合う重なり部Ｋを形成できるため、電極の接続長さ（Ｌ１＋Ｌ２）を長くすることができる。
また、図３に示す接続構成においては、駆動振動（ｙ軸方向）および検出振動（ｘ軸方向）のどちらの振動においても、互いの電極１７、２２の接合面（Ｘ１面上の接合面、Ｙ２面上の接合面）のどちらか一方で、接合力が作用するので剥がれにくく出来る。
【００７０】
よって、本実施形態においては、駆動および検出振動を受けても、角部Ｅの曲げ応力による電気的接合の劣化が少なく、良好な導通を確保することが可能となり、品質に優れる角速度センサを得ることができる。
また、本実施形態の工程Ｍ１〜Ｍ６においては、上述の良好な導通を確保することが可能な品質に優れる角速度センサを製造する製造方法を提供することができる。
【００７１】
ところで、上述のように、本実施形態においては、図２に示す様、各接続電極２１〜２４の幅を、角部Ｅ近傍で広くしている。これにより、角部Ｅの電気的接続部の面積を広くすることができ、よりいっそう、角速度センサの信頼性が向上する。特に、検出電極１８、１９と第２の取出し電極１６、１７とを接続する第１の接続電極２１、２２は、以下の理由で面積（幅）を大きくすることができないため、角部Ｅ近傍のみで幅を広くするのは、特に好ましい。
【００７２】
上述のように、振動子１において、角速度が加わると、駆動振動（ｙ軸方向）と角速度入力軸（ｚ軸）に直交する方向に、コリオリの力でたわみ振動（検出振動）する。このたわみによって、振動子１においては、Ｘ１面側に圧縮応力（引張り応力）がかかった時、Ｘ２面側では引張り応力（圧縮応力）がかかる。従って、振動子１の厚み方向（つまり、ｘ軸方向）の中心線から、Ｘ１面側とＸ２面側とでは、発生する電荷が異なる（正負逆符号となる）。
【００７３】
そのため、検出電極１８、１９は、Ｙ１、Ｙ２面におけるｘ軸方向の中心線から、Ｘ１面側あるいはＸ２面側に偏在させる必要があるが、本実施形態では、Ｘ２面側に偏在させている。これは、Ｘ１面の駆動電極１０、１１との距離が大きくでき、そこからの電気ノイズを低減できる為である。ここで、逆に、Ｘ１面側に偏在させると、Ｘ１面側に配置されている駆動電極１０、１１との距離が近くなり、電気ノイズが大きくなる。
【００７４】
同様に、Ｘ１面に引き出す部分の第１の接続電極２１、２２にも、たわみにより、電荷が発生する。もし、第１の接続電極２１、２２の幅が広いと、そこから検出される電荷、すなわち、検出電極１８、１９とは逆符号の電荷によって、結果として、角速度に対する感度の低下を招く。これに加えて、駆動電極１０、１１からの電気ノイズも受けるため、第１の接続電極２１、２２の面積は小さいほうが望ましい。そこで、接続部分である角部Ｅ近傍のみ、幅を広くすることで、不要な面積アップを防止している。
【００７５】
なお、切断加工工程Ｍ２において、音叉形状に切断後、角部Ｅに面取りまたはＲ取りをすれば、駆動振動で角部Ｅ部分の接続電極構造に発生する応力を緩和できるため、より品質的に優れる。この場合、面取りまたはＲ取りをした角部が、本発明の角部に相当する。
なお、Ｘ２面の共通電極２０については、解決手段の欄にて述べた特開平８−１７８６７３号公報と同様に、曲げ応力のかからないアーム部４、５の端面（図１中、アーム部４、５の上部端面）を通るという方法も考えられるが、Ｙ１およびＹ２面とは異なる面に、さらに接続電極を形成しなければならず、印刷の手間がかかる等の問題があり、得策ではない。そのため、本実施形態では、共通電極２０も、Ｙ１およびＹ２面からＸ１面に引き回している。
【００７６】
なお、上記実施形態において、文中および図中に記載された各数値は、あくまでも本実施形態の一例を示すものであり、本実施形態は、これらの数値に限定されるものではない。
（第２実施形態）
本発明の第３実施形態を図７及び図８に示す。本実施形態は、本発明の振動子として図に示すような４脚音叉形状の振動子を用いたものである。図７は本実施形態の角速度センサの斜視図である。
【００７７】
振動子１０１は例えばＰＺＴのような圧電体からなり、略平行に配列された４本の四角柱状のアーム部（振動部）１０２、１０３、１０４、１０５と、各アーム部１０２〜１０５の片端部を共通に固定支持する共通の連結部１０６とを有し、櫛形音叉形状を成している。
そして、内側一対のアーム部１０３、１０４が駆動用アーム部、外側一対のアーム部１０２、１０５が検出用アーム部として構成されている。各アーム部１０２〜１０５および連結部１０６は、図７の白抜き矢印で示すように、Ｘ１面からＸ２面に向かってｘ軸方向に一様に分極処理されている。
【００７８】
ここで、図７に示す様に、アーム部１０２〜１０５の配列方向をｙ軸、アーム部１０２〜１０５の長手方向をｚ軸、アーム部１０２〜１０５及び連結部１０６の厚み方向をｘ軸としてｘｙｚ直交座標系が構成される。ここで、ｚ軸は内側一対のアーム部１０３、１０４の間の中央部に位置する。以下、このｘｙｚ直交座標系に基づいて本実施形態を説明する。なお、ｘ軸方向というのはｘ軸と平行な方向をいうものとし、ｙ軸、ｚ軸についても同様である。
【００７９】
そして、振動子１０１においてｘ軸と直交する面のうち基板１１０と対向する面（第３の側面）をＸ２面とし、このＸ２面とは反対側の面（第１の側面）をＸ１面とする。また振動子１０１においてｙ軸と直交する外側一対のアーム部１０２、１０５の外周面（第２の側面）のうちアーム部１０２側の面をＹ２面とし、アーム部１０５側の面をＹ１面とする。なお、上述の如く、本実施形態においてもＸ１、Ｘ２面とＹ１、Ｙ２面とは角速度検出可能角度であればよい。
【００８０】
また、本実施形態では、Ｘ１面とＹ１面及びＹ２面とのｚ軸方向に平行な交線部分、Ｘ２面とＹ１面及びＹ２面とのｚ軸方向に平行な交線部分、更には、Ｘ１及びＸ２面と各アーム部１０２〜１０５の対向面との交線部分が角部Ｅとして構成されている。つまり、ｚ軸方向に延びる振動子１０１の１６本の稜線が角部Ｅとして構成されている。
【００８１】
１０７は例えば４２アロイ等の金属から形成された支持部であり、中央部が細くくびれた略エの字型形状を成し、このくびれた部分はトーションビーム１０８として構成されている。トーションビーム１０８の一端側に位置する部分は連結部１０６と固定される連結部側接続部１０７ａ、トーションビーム１０８の他端側に位置する部分は後述のスペーサ１０７ｃと固定される基板側接続部１０７ｂとして構成されている。
【００８２】
トーションビーム１０８は、連結部１０６の略中央部位（すなわち内側の１対のアーム部１０３、１０４の支持部位の間の略中央部位）から、ｚ軸方向においてアーム部１０２〜１０５とは反対側に延びるように位置する。
支持部１０７は、図７に示す様に、一方側で連結部１０６と接着等により固定され、他方側で上記スペーサ１０７ｃを介して基板（ベース）１１０と溶接等により接合固定されている。
【００８３】
従って、振動子１０１は支持部１０７及びスペーサ１０７ｃを介し、基板１１０に対して浮遊した状態で支持される。また、トーションビーム１０８の中心軸はｚ軸とほぼ一致し、換言すればトーションビーム１０８は、実質的に振動子１０１の中心線上に位置する。
次に、振動子１０１上のＸ１、Ｘ２、Ｙ１、Ｙ２面上に形成された電極構成について説明する。その電極構成は図８の展開図に示される。図１０において（ａ）はＸ１面、（ｂ）はＸ２面、（ｃ）はＹ１面、（ｄ）はＹ２面の電極構成を示す。以下、図８を参照して説明する。
【００８４】
１２０は駆動電極（第１の電極）であり、Ｘ１面においてアーム部１０３の外周側から連結部１０６を通ってアーム部１０４の外周側に渡って連続して形成されている。１２１は参照電極であり、Ｘ１面においてアーム部１０３の内周側から連結部１０６を通ってアーム部１０４の内周側に渡って連続して形成されている。
【００８５】
１２２、１２３及び１２４は角速度検出用の検出電極（角速度検出電極）である。検出電極１２２は、Ｙ１面においてアーム部１０５の略全域に渡って形成され、第２の電極として構成されている。一方、検出電極１２３は、Ｘ１面においてアーム部１０２の略全域に渡り、検出電極１２４は、Ｘ２面においてアーム部１０２の略全域に渡って形成されている。
【００８６】
そして、全ての検出電極１２２〜１２４は、図８に示す様に、各面上に形成された引出し電極１２５、１２６及び１２７によって接続され導通している。検出電極１２２と１２３とは、引出し電極１２５（Ｙ１面上）及び引出し電極１２６（Ｘ１面上）を介して接続され、検出電極１２３と１２４とは、引出し電極１２７（Ｙ２面上）を介して接続されている。
【００８７】
１２８、１２９、１３０及び１３１は、上記駆動、参照、及び検出電極１２０〜１２４の基準電位となる共通電極である。共通電極１２８はＸ１面においてアーム部１０５の略全域、共通電極１２９はＸ２面においてアーム部１０５の略全域に渡り形成されている。また、共通電極１３０はＸ２面においてアーム部１０３の略全域から連結部１０６を通ってアーム部１０４の略全域に渡って連続して形成されており、共通電極１３１はＹ２面においてアーム部１０２の略全域に渡り形成されている。
【００８８】
そして、全ての各共通電極１２８〜１３１は、図８に示す様に、各面上に形成された引出し電極１３２、１３３、１３４及び１３５によって接続され導通している。共通電極１２８と１２９とは、引出し電極１３２（Ｙ１面）を介して接続され、共通電極１２９及び１３０と共通電極１３１とは、引出し電極１３３、１３４（共にＸ２面）及び引出し電極１３５（Ｙ２面）を介して接続されている。
【００８９】
また、Ｘ１面において、連結部１０６には、後述のワイヤボンディング用のパット電極１３６及び１３７が形成されている。パット電極１３６は、検出電極１２２〜１２４と導通する引出し電極１２６の途中部に、パット電極１３７は、共通電極１２８から延びる引出し電極１３８の終端部に位置し、それぞれ引出し電極１２６、１３８よりも幅広に形成されている。従って、パット電極１３６は検出電極１２２〜１２４と導通し、パット電極１３７は共通電極１２８〜１３１と導通する形となる。
【００９０】
なお、振動子１０１におけるｙ軸方向と直交する面のうちアーム部１０２とアーム部１０３との対向面、アーム部１０３とアーム部１０４との対向面、アーム部１０４とアーム部１０５との対向面には電極は形成されていない。また、駆動電極１２０と参照電極１２１、検出電極１２２と共通電極１２８、１２９、及び検出電極１２３、１２４と共通電極１３１は、それぞれ隙間を開けて形成され、導通していない。
【００９１】
ここで、本実施形態では上記各電極１２０〜１３８は、上記第１実施形態の各電極１０〜１７と同様の導電性膜にて形成されている。また、本実施形態では、Ｘ１面上の引出し電極１２６が取出し電極、Ｙ１面上の引出し電極１２５が接続電極に相当し、これら引出し電極１２５、１２６によってＹ１面上の検出電極（第２の電極）１２２がＸ１面上に引き回される。
【００９２】
そして、これら引出し電極１２５、１２６の連結部１０６の角部Ｅにおける電極接続構造は、上記図３と同様の構成となっている。また、他の電極同士の角部Ｅにおける電極接続構造、すなわち、引出し電極１２７と検出電極１２３及び１２４、引出し電極１３２と共通電極１２８及び１２９、引出し電極１３３と１３５の各電極同士の角部Ｅにおける電極接続構造も上記図３と同様である。
【００９３】
本実施形態の角部Ｅにおける電極接続構造も、上記第１実施形態の製造方法を用いて製造することができる。ここで、本実施形態では、上記第２層電極印刷・焼付工程Ｍ４は行わない。また、アーム部１０２〜１０５の間のスリットは、上記切断加工工程Ｍ２と同様、外周刃スライサで加工する。
また、図７に示す様に、基板１１０には、図示しない駆動・検出回路（制御回路）と接続されるリード端子Ｐ１１〜Ｐ１４が設けられている。そして、リード端子Ｐ１１は駆動電極１２０と、リード端子Ｐ１２パット電極１３７と、リード端子Ｐ１３は参照電極１２１と、リード端子Ｐ１４はパット電極１３６と、各ワイヤ（リード線）Ｓ１１〜Ｓ１４を介して接続されている。上記各ワイヤの結線は、例えばＷＢにて行われる。
【００９４】
そして、本実施形態の角速度センサは、上記駆動・検出回路によって次のように作動する。まず、駆動電極１２０と共通電極１３０間に交流電圧を印加することにより、内側一対のアーム部１０３、１０４を互いにｚ軸（つまり振動子１０１の中心線）に対し対称なｙ軸方向への屈曲振動をするモードにて共振させる。そのときの振幅として参照電極１２１からの出力をモニターし、参照電極１２１からの出力が一定となるように上記駆動・検出回路を用いて自励発振（自励振動）させる。
【００９５】
次に、ｚ軸回りに角速度が入力された場合、振動している内側一対のアーム部１０３、１０４にはコリオリ力が発生し、これらアーム部１０３、１０４は、ｘ軸方向において互いに逆方向に力を受ける。そのとき外側一対のアーム部１０２、１０５も連成してｘ軸方向に振動するため、角速度に比例したｘ軸方向の振動振幅を検出電極１２２〜１２４からの出力として検出し、角速度を検出する。
【００９６】
ここで、アーム部１０２〜１０５のｘ軸方向へのたわみ振動に加え、内側一対のアーム部１０３、１０４から外側一対のアーム部１０２、１０５への振動の連成が連結部１０６を介して行われるため、連結部１０６の角部Ｅにおいて曲げ応力の電極接続部分への影響は無視できない。
本実施形態では、上述のように、アーム部（振動部）１０２〜１０５及び連結部１０６の角部Ｅにて、電極接続構造を上記図３のように重なり部Ｋを有する構造としているため、解決手段の欄にて述べたＡ構成の作用効果を奏し、電極同士の接続長が確保でき、良好な導通を可能としている。
【００９７】
以上のように、本実施形態においても、上記第１実施形態に記載の製造方法を用いて振動子１０１を製造でき、上記第１実施形態と同様に、角部Ｅにおいて電気的接合の劣化防止、信頼性の高い電気的接続を実現し、品質に優れる角速度センサを得ることができる。
（第３実施形態）
本発明の第３実施形態を図９に示す。本実施形態は、本発明の振動子として図に示す様なＨ型音叉形状の振動子２０１を用いたものである。図９は、振動子２０１を前後左右からみた展開図である。
【００９８】
振動子２０１は、例えばＰＺＴのような圧電体からなる４本の平行な四角柱状のアーム部（振動部）２０２、２０３、２０４、２０５と連結部２０６とから構成される。ここで、片側一対のアーム部２０２、２０３が駆動用アーム部、他側一対のアーム部２０４、２０５が検出用アーム部として構成されている。
また、連結部２０６には、上記各実施形態に示すような支持部（図示せず）が当接しており、この支持部に固定された連結部２０６を介して振動子２０１は支持されている。ここで、振動子２０１は、Ｘ１面からＸ２面に向かってｘ軸方向に一様に分極処理されている。
【００９９】
本実施形態では図９に示す様に、アーム部２０２〜２０５の配列方向をｙ軸、アーム部２０２〜２０５の長手方向をｚ軸、アーム部２０２〜２０５及び連結部２０６の厚み方向をｘ軸としてｘｙｚ直交座標系が構成される。なお、図９の座標は（ａ）に対応したものである。
次に、振動子２０１上に形成された電極構成について説明する。ここで、振動子２０１においてｘ軸と直交する面のうち一側の面（第１の側面）をＸ１面とし、他側の面（第３の側面）をＸ２面とする。また振動子２０１においてｙ軸と直交する面であって各一対のアーム部２０２と２０３、及び２０４と２０５が対向しない面（第２の側面）のうち一側面をＹ１面とし、他側面をＹ２面とする。なお、本実施形態においてもＸ１、Ｘ２面とＹ１、Ｙ２面とは角速度検出可能角度であればよい。
【０１００】
また、本実施形態では、Ｘ１面とＹ１面及びＹ２面とのｚ軸方向に平行な交線部分、Ｘ２面とＹ１面及びＹ２面とのｚ軸方向に平行な交線部分、更には、Ｘ１及びＸ２面と各アーム部２０２〜２０５の対向面との交線部分が角部Ｅとして構成されている。つまり、ｚ軸方向に延びる振動子２０１の１２本の稜線が角部Ｅとして構成されている。
【０１０１】
次に、振動子２０１上のＸ１、Ｘ２、Ｙ１、Ｙ２面上に形成された電極構成について説明する。その電極構成は図９に示される。図９において（ａ）はＸ１面、（ｂ）はＸ２面、（ｃ）はＹ１面、（ｄ）はＹ２面の電極構成を示す。
２０７は片側一対のアーム部２０２、２０３を駆動するための駆動電極（第１の電極）であり、Ｘ１面においてアーム部２０２から連結部２０６、アーム部２０３に渡って連続的に形成されている。２０８は振動状態をモニタするための参照電極であり、Ｘ１面においてアーム部２０２から連結部２０６、アーム部２０３に渡って、駆動電極２０７の外周側に連続的に形成されている。
【０１０２】
２０９及び２１０は角速度検出用の検出電極（第２の電極）であり、それぞれアーム部２０４のＹ２面、アーム部２０５のＹ１面に形成されている。検出電極２０９は、Ｙ２面上の引出し電極２１１を介してＸ１面上のパット電極２１２に導通し、一方、検出電極２１０は、Ｙ１面上の引出し電極２１３を介してＸ１面上のパット電極２１４に導通している。
【０１０３】
２１５、２１６及び２１７は上記駆動、参照、検出電極２０７〜２１０の基準電位となる共通電極である。共通電極２１５はＸ２面の略全域に形成され、共通電極２１６及び２１７は、それぞれアーム部２０４のＸ１面、アーム部２０５のＸ１面に形成されている。そして、各共通電極２１５〜２１７は、Ｙ２面及びＹ１面に形成された引出し電極２１８、２１９によって導通されている。
【０１０４】
ここで、本実施形態においても上記各電極２０７〜２１９は、上記第１実施形態の各電極１０〜１７と同様の導電性膜にて形成されている。また、本実施形態では、Ｘ１面上のパット電極２１２、２１４が取出し電極、Ｙ１及びＹ２面上の引出し電極２１１、２１３が接続電極に相当し、これら引出し電極２１１、２１３によってＹ１及びＹ２面上の検出電極（第２の電極）２０９、２１０がＸ１面上に引き回される。
【０１０５】
そして、これらパット電極２１２、２１４と引出し電極２１１、２１３との連結部２０６の角部Ｅにおける電極接続構造は、上記図３と同様の構成となっている。また、他の電極同士の角部Ｅにおける電極接続構造、すなわち、引出し電極２１８と共通電極２１５及び２１６、引出し電極２１９と共通電極２１５及び２１７の各電極同士の角部Ｅにおける電極接続構造も上記図３と同様である。
【０１０６】
本実施形態の角部Ｅにおける電極接続構造も、上記第２実施形態と同様にして製造することができる。また、図示しない駆動・検出回路（制御回路）との接続は、上記各実施形態と同様に、ＷＢ等によるリード線の結線にて行われる。
本実施形態の作動について述べる。
まず、駆動電極２０７と共通電極２１５間に交流電圧を印加することにより、片側一対のアーム部２０２、２０３を互いに振動子２０１の中心線に対し対称なｙ軸方向への屈曲振動をするモードにて共振させる。そのときの振幅として参照電極２０８からの出力をモニターし、参照電極２０８からの出力が一定となるように上記駆動・検出回路を用いて自励発振（自励振動）させる。
【０１０７】
次に、ｚ軸回りに角速度が入力された場合、振動している片側一対のアーム部２０２、２０３にはコリオリ力が発生し、これらアーム部２０２、２０３は、ｘ軸方向において互いに逆方向に力を受ける。そのとき他側一対のアーム部２０４、２０５も連成してｘ軸方向に振動するため、角速度に比例したｘ軸方向の振動振幅を検出電極２０９、２１０からの出力として検出し、角速度を検出する。
【０１０８】
ここで、本実施形態においても、連結部１０６の角部Ｅにおいて電極接続部分に曲げ応力がかかるが、上述のように、アーム部（振動部）２０２〜２０５及び連結部２０６の角部Ｅにて、電極接続構造を上記図３のように重なり部Ｋを有する構造としているため、上記Ａ構成の作用効果を奏し、電極同士の接続長が確保でき、良好な導通を可能としている。
【０１０９】
そして、本実施形態においても、上記各実施形態と同様に、角部Ｅにおいて電気的接合の劣化防止、信頼性の高い電気的接続を実現し、品質に優れる角速度センサを得ることができる。
（他の実施形態）
なお、上記図１の振動子１においては、Ｙ１及びＹ２面の各接続電極２１〜２４は、それぞれアーム部４、５の角部Ｅを通って、Ｘ１面の各取出し電極１４〜１７に引き回されていたが、例えば、各取出し電極を連結部６のＸ１面に形成して、各接続電極を連結部６の角部ＥからＸ１面に引き回す構成とし、連結部６の角部Ｅにおける電極接続構造を図３の構造としてもよい。
【０１１０】
また、上記第２及び第３実施形態においても、上記第１実施形態と同様に、引出し電極１２５、１２７、１３２、１３５及び引出し電極２１１、２１３、２１８、２１９の角部Ｅ近傍部位を幅広としてもよい。また、角部Ｅに面取りまたはＲ取りを行ってもよい。
また、本発明は、振動部が一本の四角柱である振動子であって、四角柱の長手方向に延び互いに直交する側面に、それぞれ形成された電極同士を接続する場合でも適用できる。例えば、一側の側面に駆動電極、他側の側面に検出電極を形成した場合、取出し電極を駆動電極側の側面に設けて、検出電極を駆動電極側の側面に取出すようにしてもよいし、あるいは、その逆であってもよい。
【０１１１】
以上の本発明について述べてきたが、要するに、本発明は、四角柱の長手方向に沿った角部であって振動により屈曲する角部を通る電極の接続構成に対して適用可能であり、振動子も上記実施形態の角柱音叉タイプ、あるいは一本角柱タイプに限定されるものではなく、また、接続電極によって接続される電極の種類も限定されるものではない。
【０１１２】
なお、上記各図のうち断面図以外の図において、ハッチングを施してあるものは、あくまで説明の便宜を図るための表示であり、断面を示すものではない。
【図面の簡単な説明】
【図１】本発明の第１実施形態に係る角速度センサの振動子構成を示す斜視図である。
【図２】図１の振動子上に形成された電極の構成を示す展開図であり、（ａ）はＸ１面、（ｂ）はＸ２面、（ｃ）はＹ１面、（ｄ）はＹ２面を表す。
【図３】図２（ａ）のＣ−Ｃ断面において、角部における電極の接続構造を示す拡大断面図である。
【図４】上記第１実施形態の製造工程の流れを示す工程図である。
【図５】上記製造工程のうち平面研削工程および切断加工工程を説明する説明図である。
【図６】上記製造工程のうち第１層電極印刷・焼付工程から側面電極印刷・硬化工程までを説明する説明図である。
【図７】本発明の第２実施形態に係る角速度センサの振動子構成を示す斜視図である。
【図８】図７の振動子上に形成された電極の構成を示す展開図であり、（ａ）はＸ１面、（ｂ）はＸ２面、（ｃ）はＹ１面、（ｄ）はＹ２面を表す。
【図９】本発明の第３実施形態に係る角速度センサの振動子構成を示す展開図である。
【図１０】従来の角速度センサの振動子構成を示す斜視図である。
【図１１】図１０の振動子上に形成された電極の構成を示す展開図である。
【符号の説明】
１、１０１、２０１…振動子、
４、５、１０２〜１０５、２０２〜２０５…アーム部、
６…連結部、１０、１１、１２０、２０７…駆動電極、
１２、１３…参照電極、１４、１５…第１の取出し電極、
１６、１７…第２の取出し電極、
１８、１９、１２３、２０９、２１０…検出電極、２０…共通電極、
２１、２２…第１の接続電極、２３、２４…第２の接続電極、
１２５、１２６、２１１、２１３…引出し電極、２１２、２１４…パット電極、
Ｅ…角部、Ｋ…重なり部、Ｌ１…ｘ軸方向の重なり長さ、
Ｌ２…ｙ軸方向の重なり長さ、Ｍ２…切断加工工程、
Ｍ３…第１層電極印刷・焼付工程、Ｍ５…分極処理工程、
Ｍ６…側面電極印刷・硬化工程、Ｘ１…第１の側面、Ｘ２…第３の側面、
Ｙ１、Ｙ２…第２の側面。
【図１】
0003899637.tif 000002
【図２】
0003899637.tif 000003
【図３】
0003899637.tif 000004
【図４】
0003899637.tif 000005
【図５】
0003899637.tif 000006
【図６】
0003899637.tif 000007
【図７】
0003899637.tif 000008
【図８】
0003899637.tif 000009
【図９】
0003899637.tif 000010
【図１０】
0003899637.tif 000011
【図１１】
0003899637.tif 000012